(57)【特許請求の範囲】
【請求項１】
ケーシング内にスイッチの操作子が装着され、前記操作子の上方がラバーなどの軟質素材のカバーで被覆されたスイッチ装置において、可撓性があり、摩擦が小さいシートが前記カバーと操作子との間に装着され、前記シートは、前記操作子の上面を覆う長方形の本体片と前記本体片の両側に設けられた枠片とからなるものとし、前記枠片の下部には前記操作子の支持軸を避ける幅広の抉り部が形成された、スイッチ装置
【請求項２】
シートは合成樹脂製とした、請求項１記載のスイッチ装置
【発明の詳細な説明】
【０００１】
【産業上の利用分野】
この発明は、スイッチの操作子がケーシング内に収められたスイッチ装置に関するものである。
【０００２】
【従来の技術】
コンクリートバイブレータの中間スイッチなど、高度の防水・防塵機能が要求される箇所で使用されるスイッチ装置は、スイッチの操作子がケーシング内に収納され、その上部がラバー製などのカバーで覆われている。
そのために、操作子の操作はカバーを介して行う必要があるが、スイッチ操作のためにカバーを操作子の移動方向（横方向）に移動させるとき、カバーに加わる力によってカバーの内面と操作子との間に摩擦が生じる。
操作子の上面は一般に緩やかなＶ字状をなして中央部が谷となっている。操作子をスムーズに操作するためには、操作する力が中央部から端部にスムーズに移動することが好ましい。しかしながら、カバーと操作子との間に大きな摩擦力が働くと、操作する力が移動しにくい。
そこで、摩擦力を軽減するためにカバーと操作子の間にグリスや滑り粉などを介在させる手段が取られている。
【０００３】
【発明が解決しようとする課題】
上記グリスなどを介在させる手法によれば、組み立て時の注入量の管理が難しく、また使用を継続する間にグリスなどがカバーと操作子の間から他の部分へ移動してしまい、効果が減少すること、そして効果を維持するためにはグリスなどを再度注入するなどのメンテナンスが必要であることなどの問題点があった。
この発明は、このような課題を解決しようとするものである。
【０００４】
【課題を解決するための手段】
この発明は、ケーシング内にスイッチの操作子が装着され、前記操作子の上方がラバーなどの軟質素材のカバーで被覆されたスイッチ装置において、前記カバーと操作子との間に可撓性が有り、摩擦が小さいシートを装着することにより、カバーと操作子との間の摩擦を軽減し、上記課題を解決するものである。
前記シートは、前記操作子の上面を覆う長方形の本体片と前記本体片の両側に設けられた枠片とからなるものとし、前記枠片の下部には前記操作子の支持軸を避ける幅広の抉り部が形成されている。
前記シートの素材は、ポリプロピレン、ナイロンなどの合成樹脂が好ましいが、金属板を使用することもできる。
【０００５】
【作用】
この発明において、ラバー製などのカバーと操作子との間にシートを介在させているので、カバーの内面と操作子とが直接接触しない。そして、シートは摩擦が小さい材質であるから、シートと操作子との間に摩擦は殆ど生じない。またシートは可撓性材質であるから操作子の屈曲した面に沿って無理なく移動できる。したがって、カバーの摩擦力に阻止されることなく操作子を操作する力は、操作子の中央部から端部に向けてスムーズに移動し、無理な力を加えることなくスイッチを操作することができる。
【０００６】
【発明の実施の形態】
図１はコンクリートバイブレータの中間スイッチの分解斜視図であり、ケーシング１内にスイッチ２が装着してある。前記ケーシング１の上面には窓３が設けてあり、この窓３はラバー製のカバー４で被覆されている。
前記スイッチ２の操作子５はいわゆるシーソー式の操作子であって、その上面は緩いＶ字状をなし、支持軸６を中心に回動させることによりスイッチが切り替わるようにあっている。
前記操作子５とカバー４の間にシート７が介在させてある。
【０００７】
前記シート７はナイロン製であり、前記操作子５の上面を覆う長方形の本体片７ａの両側に枠片７ｂを設けた形態であり、前記枠片７ｂの下部は前記操作子の支持軸６を避けるように抉り部７ｃが形成してある（図２、図３参照）。この抉り部７ｃは、シート７が操作子５の上面をスムーズに移動できるように幅広としてある。
図中符号８はケーシングの締付ネジである。
【０００８】
上記実施形態におけるシート７の作用効果を図４を参照して説明する。
図４において、スイッチの操作子５は図中右側が押し下げられた状態となっている。ここで、左側を押し下げてスイッチを切り替える場合、カバー４の上面を矢示９方向に指で押さえる。このとき、シート７が存在しないならばカバー４の下面と操作子５の上面との間に大きな摩擦力が発生し、カバーは矢示１０方向へ移動することが難しく、その結果操作子５の端部に下向きの力を加えにくく、スイッチの切替に大きな力が必要となる。
【０００９】
しかるに、上記実施形態においては、カバー４の上面を矢示９方向の力で押さえると、カバー４の下面とシート７の上面との間に摩擦力が発生するが、シート７の下面と操作子５の上面との間には殆ど摩擦力が発生しない。したがって、矢示９方向の力を受けてカバー４とシート７とが共に矢示１０方向へ移動する。その結果、操作子５の端部に下向きの力が加わり、スイッチは容易に切り替わる。
【００１０】
すなわち、上記実施形態においては、シート７によって従来におけるグリスや滑り粉などと同様の効果を得ることができる。
【００１１】
上記実施形態においてはシート７を対クリープ性がよいナイロン製としたので、厚み変化が起こりにくい。尤も、シートの材質は操作子５の上面の形状に沿って変形できる可撓性と、操作時に操作子５の上面に沿って移動できる程度の摩擦力の小ささを有すればよいのであって、これ以外に材質の制約はない。したがって、ナイロン以外の種々の合成樹脂、金属を適宜使用することができる。
【００１２】
【発明の効果】
この発明によれば、スイッチのケーシングのカバーと操作子との間にシートを介在させたので、カバーと操作子とが直接接触することがない。 そして、前記シートは摩擦の小さい材質であるから、スイッチ操作時にカバーを押さえる力が加わってもシートと操作子との間に大きな摩擦力が生じることがない。そしてシートは可撓性を有するので、操作子の上面に沿ってスムーズに移動することができる。
したがって、グリスなどを用いることなく、無理なく操作子を操作することができ、スイッチを切り替えることができる。
【００１３】
そして、グリスなどの注入が不用であるから、スイッチの組み立て時にはシートを装着するのみでよく、グリスの注入量の管理などのが不用なので、スイッチの組み立て作業性が向上する。また、シートはグリスなどと異なり操作性を維持するためのメンテナンスが不用である。
【図面の簡単な説明】
【図１】  この発明実施例の分解斜視図。
【図２】  この発明実施形態のシートの展開状態の平面図。
【図３】  この発明実施形態のシートの使用状態の斜視図。
【図４】  この発明実施形態の断面図。
【符号の説明】
１    ケーシング
２    スイッチ
３    窓
４    カバー
５    操作子
６    支持軸
７    シート
７ａ  本体片
７ｂ  枠片
７ｃ  抉り部
８    締付ネジ
９    矢示
１０  矢示
【図１】
0003665016.tif 000002
【図２】
0003665016.tif 000003
【図３】
0003665016.tif 000004
【図４】
0003665016.tif 000005